(57)【特許請求の範囲】
【請求項１】
流動性物質を収容する外筒内にプランジャが往復動自在に挿着され、前記プランジャを引くことにより、前記外筒の外部から内部へ前記流動性物質を吸引するとともに、前記プランジャを押すことにより、前記外筒の内部から外部へ前記流動性物質を押し出すシリンジであって、
前記プランジャは、プランジャ本体と、このプランジャ本体の先端に一体に設けられ、前記外筒の内壁面に対して液密性を保持しながら摺動する略円板状のプランジャ頭部とを有し、
前記略円板状のプランジャ頭部の先端周縁部のみに、前記プランジャが前記外筒内に挿着された状態で当該外筒の内壁面に弾性的に接触する環状の弾性片が設けられ、
前記環状の弾性片は、前記プランジャが押されたときに比べて、前記プランジャが引かれたときに、前記外筒の内壁面に対する抵抗値が減少するように前方に向けて延設されるとともに、
前記弾性片には前記外筒の前記内壁面に環状に接触する当接部が設けられ、前記プランジャが前記外筒内に挿着された状態で前記当接部から後側は前記内壁面より小径に設けられて該内壁面から離間していることを特徴とするシリンジ。
【請求項２】
前記弾性片の高さが前記円板状のプランジャ頭部の厚さの３９．６〜６３．０％であることを特徴とする請求項１に記載のシリンジ。
【請求項３】
前記プランジャが引かれたときは、前記外筒内の圧力が低下して、前記弾性片と前記外筒の前記内壁面との接圧が減少することにより、前記抵抗値が減少し、
前記プランジャが押されたときは、前記外筒内の圧力が上昇して、前記弾性片と前記外筒の前記内壁面との接圧が増大することにより、前記液密性が増大する、
ように構成されたことを特徴とする請求項１又は２に記載のシリンジ。
【請求項４】
前記弾性片は、前記プランジャ頭部の先端周縁部に所定形状の溝が形成されることによって当該溝の外側に設けられていることを特徴とする請求項３に記載のシリンジ。
【請求項５】
前記溝は、略Ｖ形断面を有していることを特徴とする請求項４に記載のシリンジ。
【請求項６】
前記当接部は、前記プランジャが前記外筒内に挿着された状態で、当該外筒の前記内壁面にほぼ線接触することを特徴とする請求項１又は２に記載のシリンジ。
【請求項７】
前記弾性片が、
前記当接部と、
前記当接部の後方に形成され、外周面が前記プランジャの長手方向に沿って湾曲した湾曲面部と、
前記当接部の前方に形成され、該当接部よりも小径で、且つ、外周面が前記プランジャの前記長手方向に沿って傾斜した傾斜面と、
を備えることを特徴とする請求項６に記載のシリンジ。
【請求項８】
前記流動性物質が製剤であることを特徴とする請求項１乃至７のいずれかに記載のシリンジ。
【請求項９】
三方弁と、該三方弁の第１の分岐流路接続されたシリンジと、該三方弁の第２の分岐流路に取り付けられた、流動性物質を収容する容器に接続される容器連結部と、該三方弁第３の分岐流路接続された接続管とを備え、
前記シリンジは、
流動性物質を収容する外筒内にプランジャが往復動自在に挿着され、前記プランジャを引くことにより、前記外筒の外部から内部へ前記流動性物質を吸引するとともに、前記プランジャを押すことにより、前記外筒の内部から外部へ前記流動性物質を押し出すように構成され、
前記プランジャは、プランジャ本体と、このプランジャ本体の先端に一体に設けられ、前記外筒の内壁面に対して液密性を保持しながら摺動する略円板状のプランジャ頭部とを有し、
前記略円板状のプランジャ頭部の先端周縁部のみに、前記プランジャが前記外筒内に挿着された状態で当該外筒の内壁面に弾性的に接触する環状の弾性片が設けられ、
前記環状の弾性片は、前記プランジャが押されたときに比べて、前記プランジャが引かれたときに、前記外筒の内壁面に対する抵抗値が減少するように前方に向けて延設され、
前記弾性片には前記外筒の前記内壁面に環状に接触する当接部が設けられ、前記プランジャが前記外筒内に挿着された状態で前記当接部から後側は前記内壁面より小径に設けられて該内壁面から離間していることを特徴とする流動性物質移送具。
【発明の詳細な説明】
【技術分野】
【０００１】
本発明は、例えば、製剤、薬液等の流動性物質を収容容器から患者の投与部位（例えば瘻孔など）に移送して投与するのに好適なシリンジおよび流動性物質移送具に関するものである。
【背景技術】
【０００２】
従来、この種のシリンジとしては、流動性物質を収容する外筒（シリンダ）と、この外筒内に往復動自在に挿着されるプランジャ（すなわち、ピストン）とから構成されたものが提案されている（例えば、特許文献１参照）。【０００３】
このシリンジでは、プランジャ頭部に可撓性の鍔部が横向き（すなわち、プランジャが往復動する方向に直角な方向）に形成されている。そして、所定の液密性を得るべく、この鍔部の外径を外筒の内径より少し大きくして鍔部を外筒に密着させるとともに、所定の操作性（すなわち、摺動の容易性）を得るべく、この鍔部を薄肉に形成している。
【先行技術文献】
【特許文献】
【０００４】
【特許文献１】特開２００２−７２６号公報
【発明の概要】
【発明が解決しようとする課題】
【０００５】
このようなシリンジにおいては、プランジャ頭部の鍔部が横向きに設けられているため、プランジャを引くときとプランジャを押すときとで、外筒の内壁面と鍔部との接触面の摩擦係数は同程度になると考えられる。【０００６】
しかしながら、使用者は、プランジャを押す力に比べて、プランジャを引く力が弱くなる場合がある。このような場合、プランジャを引くときに要求される力が、押すときの要求される力よりも小さい方が、その使用者にとって操作性が良い。【０００７】
また、プランジャ頭部と外筒内壁面との接触部分の液密性を高めるため（すなわち、この接触部分から流動性物質が漏れ出すことを防止するため）には、これらプランジャ頭部と外筒内壁面との接圧を十分に高くすることが望ましい。しかしながら、この接圧を高くするほど、プランジャを押すときや引くときに使用者に必要な力が大きくなって、操作性が悪化する。【０００８】
本発明は、このような事情に鑑み、プランジャを往復動させる際に、プランジャを押す力に比べて、プランジャを引く力が弱くて済み、且つ、液密性及びと操作性の両方に優れたシリンジを提供することを第１の目的とする。また、このようなシリンジを備えた流動性物質移送具を提供することを第２の目的とする。
【課題を解決するための手段】
【０００９】
かかる目的を達成するため、本発明に係るシリンジは、流動性物質を収容する外筒内にプランジャが往復動自在に挿着され、前記プランジャを引くことにより、前記外筒の外部から内部へ前記流動性物質を吸引するとともに、前記プランジャを押すことにより、前記外筒の内部から外部へ前記流動性物質を押し出すシリンジであって、前記プランジャは、プランジャ本体と、このプランジャ本体の先端に一体に設けられ、前記外筒の内壁面に対して液密性を保持しながら摺動する略円板状のプランジャ頭部とを有し、前記略円板状のプランジャ頭部の先端周縁部のみに、前記プランジャが前記外筒内に挿着された状態で当該外筒の内壁面に弾性的に接触する環状の弾性片が設けられ、前記環状の弾性片は、前記プランジャが押されたときに比べて、前記プランジャが引かれたときに、前記外筒の内壁面に対する抵抗値が減少するように前方に向けて延設されるとともに、前記弾性片には前記外筒の前記内壁面に環状に接触する当接部が設けられ、前記プランジャが前記外筒内に挿着された状態で前記当接部から後側は前記内壁面より小径に設けられて該内壁面から離間していることを特徴とする。
本発明のシリンジでは、前記弾性片の高さを前記円板状のプランジャ頭部の厚さの３９．６〜６３．０％とするのが好適である。
【００１０】
本発明のシリンジは、前記プランジャが引かれたときは、前記外筒内の圧力が低下して、前記弾性片と前記外筒の前記内壁面との接圧が減少することにより、前記抵抗値が減少し、前記プランジャが押されたときは、前記外筒内の圧力が上昇して、前記弾性片と前記外筒の前記内壁面との接圧が増大することにより、前記液密性が増大する、ように構成されることが望ましい。【００１１】
本発明のシリンジにおいて、前記弾性片は、前記プランジャ頭部の先端周縁部に所定形状の溝が形成されることによって当該溝の外側に設けられることが望ましい。【００１２】
本発明のシリンジにおいて、前記溝は、略Ｖ形断面を有していることが望ましい。【００１３】
本発明のシリンジにおいて、前記当接部は、前記プランジャが前記外筒内に挿着された状態で、当該外筒の前記内壁面にほぼ線接触することが望ましい。
【００１４】
本発明のシリンジにおいては、前記弾性片が、前記当接部と、前記当接部の後方に形成され、外周面が前記プランジャの長手方向に沿って湾曲した湾曲面部と、前記当接部の前方に形成され、該当接部よりも小径で、且つ、外周面が前記プランジャの前記長手方向に沿って傾斜した傾斜面とを備えることが望ましい。
【００１５】
本発明のシリンジにおいては、前記流動性物質が製剤とすることができる。【００１６】
本発明の流動性物質移送具は、三方弁と、該三方弁の第１の分岐流路接続されたシリンジと、該三方弁の第２の分岐流路に取り付けられた、流動性物質を収容する容器に接続される容器連結部と、該三方弁第３の分岐流路接続された接続管とを備え、前記シリンジは、流動性物質を収容する外筒内にプランジャが往復動自在に挿着され、前記プランジャを引くことにより、前記外筒の外部から内部へ前記流動性物質を吸引するとともに、前記プランジャを押すことにより、前記外筒の内部から外部へ前記流動性物質を押し出すように構成され、前記プランジャは、プランジャ本体と、このプランジャ本体の先端に一体に設けられ、前記外筒の内壁面に対して液密性を保持しながら摺動する略円板状のプランジャ頭部とを有し、前記略円板状のプランジャ頭部の先端周縁部のみに、前記プランジャが前記外筒内に挿着された状態で当該外筒の内壁面に弾性的に接触する環状の弾性片が設けられ、前記環状の弾性片は、前記プランジャが押されたときに比べて、前記プランジャが引かれたときに、前記外筒の内壁面に対する抵抗値が減少するように前方に向けて延設され、前記弾性片には前記外筒の前記内壁面に環状に接触する当接部が設けられ、前記プランジャが前記外筒内に挿着された状態で前記当接部から後側は前記内壁面より小径に設けられて該内壁面から離間していることを特徴とする。
【発明の効果】
【００１７】
本発明のシリンジによれば、プランジャ頭部の先端周縁部に弾性片が前方に向けて延設されており、プランジャが押されたときに比べて、プランジャが引かれたときに、外筒の内壁面に対する弾性片の抵抗値が減少する。その結果、プランジャを往復動させる際に、プランジャを押す力に比べて、プランジャを引く力が弱くなる場合であっても、液密性と操作性を両立させることが可能なシリンジを提供することができる。【００１８】
本発明のシリンジを、プランジャが引かれたときは外筒の内壁面との接圧が減少し、且つ、プランジャが押されたときはその接圧が増大するように構成することで、操作性と密着性との両方を向上させることができる。【００１９】
本発明のシリンジにおいて、プランジャ頭部の先端周縁部に所定形状の溝を形成することにより、弾性片を簡単に形成することができる。【００２０】
本発明のシリンジにおいて、上記溝の断面を略Ｖ形とすることにより、上記のような接圧の減少や増大を十分に大きくすることが容易になる。【００２１】
本発明のシリンジにおいて、プランジャ頭部の弾性片と外筒の内壁面とをほぼ線接触とすることにより、面接触する場合に比べて、両者の接触面積が減少するため、外筒の内壁面に対する弾性片の抵抗値を抑えることができるばかりか、両者の単位面積当たりの接圧を高めることにより、シリンジの液密性を向上させることが可能となる。【００２２】
本発明のシリンジにおいて、弾性片に湾曲面部と傾斜面部とを設けることにより、当接部の摩擦抵抗を十分に減らすことができる。【００２３】
本発明のシリンジにおいて、流動性物質を製剤とすることにより、上述した効果を奏する製剤投与用のシリンジを得ることができる。【００２４】
本発明の流動性物質移送具によれば、上述した効果を奏するシリンジを備えた流動性物質移送具を提供することができる。
【図面の簡単な説明】
【００２５】
【図１】本発明の実施の形態１に係る流動性物質移送具を示す正面図である。
【図２】同実施の形態１に係る流動性物質移送具のシリンジのプランジャを示す図であって、（ａ）はその正面図、（ｂ）はその左側面図である。
【図３Ａ】同実施の形態１に係るプランジャの断面形状の一例を示す拡大詳細図である。
【図３Ｂ】同実施の形態１に係るプランジャの断面形状の一例を示す拡大詳細図である。
【図３Ｃ】同実施の形態１に係るプランジャの断面形状の一例を示す拡大詳細図である。
【図３Ｄ】同実施の形態１に係るプランジャの断面形状の一例を示す拡大詳細図である。
【図４Ａ】同実施の形態１に係るプランジャの溝の深さと、プランジャを引くときの抵抗値との関係を示す棒グラフである。
【図４Ｂ】同実施の形態１に係るプランジャの溝の深さと、プランジャを押すときの抵抗値との関係を示す棒グラフである。
【発明を実施するための形態】
【００２６】
以下、本発明の実施の形態について説明する。
［発明の実施の形態１］
図１乃至図４Ｂは、本発明の実施の形態１を示す。なお、図３Ａ〜図４Ｄはいずれも、図２に示すプランジャ頭部のＣ−Ｃ線による拡大断面図である。
【００２７】
実施の形態１に係る流動性物質移送具１は、図１に示すように、製剤が収容された収容容器２に連結して、この製剤を収容容器２から患者の投与部位に移送して投与するために使用される。この流動性物質移送具１は、第１〜第３の分岐流路４１、４２、４３が合流部４４でＴ字形に合流する構造を有する透明な合成樹脂製の三方弁４と、この三方弁４の第１の分岐流路４１に連通して接続されたシリンジ３と、三方弁４の第２の分岐流路４２に取り付けられた容器連結部５と、三方弁４の第３の分岐流路４３に連通して接続された接続管６とを備えている。
【００２８】
ここで、三方弁４の第２の分岐流路４２には、図１に示すように、第１の逆止弁１０が、収容容器２から合流部４４への流れ（図１上方への流れ）を許容するとともに、逆向きの流れ（図１下方への流れ）を阻止するように取り付けられている。また、三方弁４の第３の分岐流路４３には、第２の逆止弁１１が、合流部４４から接続管６への流れ（図１左方への流れ）を許容するとともに、逆向きの流れ（図１右方への流れ）を阻止するように取り付けられている。
【００２９】
また、シリンジ３は、図１に示すように、製剤を収容する略円筒状の透明な合成樹脂製の外筒３１を有しており、この外筒３１は三方弁４の第１の分岐流路４１に一体に形成されている。外筒３１内には、ポリエチレン製のプランジャ３２が、外筒３１の管心方向（矢印Ａ、Ｂ方向）に往復動自在に挿着されている。そして、プランジャ３２を引くことにより、外筒３１の外部（三方弁４側）から外筒３１の内部へ製剤を吸引するとともに、プランジャ３２を押すことにより、外筒３１の内部から外筒３１の外部（三方弁４側）へ製剤を押し出すことができるように構成されている。
【００３０】
このプランジャ３２は、図２に示すように、プランジャ本体３３とプランジャ頭部３４とを有している。プランジャ本体３３は、断面が略十字形の、柱状に形成されている。また、プランジャ頭部３４は、略円盤状に形成され、プランジャ本体３３の先端に一体に設けられて、外筒３１の内壁面３１ａに対して液密性を保持しながら摺動する。
【００３１】
ここで、プランジャ頭部３４の先端周縁部３４ａには、図２（ｂ）および図３Ａ−Ｄに示すように、分岐流路４１と対向させて、円環状で断面がＶ字形の溝３６が形成されている。これにより、この溝３６の外周側には、円環状の弾性片３５が形成されている。なお、後述するように、図３Ａ−図３Ｄに示したプランジャ頭部３４は、深さＤ（図３Ａ参照）が互いに異なる。
【００３２】
図３Ａ−図３Ｄに示したように、弾性片３５は、当接部３５ａ、湾曲面部３５ｂ及び傾斜面部３５ｃを含む。当接部３５ａは、外筒３１の内壁面３１ａに円環状にほぼ線接触する。湾曲面部３５ｂは、当接部３５ａの後方（すなわち、プランジャ本体３３側）に設けられており、当接部３５ａよりも小径で、且つ、外周面がプランジャ３２の長手方向（Ａ、Ｂで示した移動方向）に沿って湾曲している。また、傾斜面部３５ｃは、当接部３１ａの前方（すなわち、分岐流路４１側）に設けられており、当接部３５ａよりも小径で、且つ、外周面がプランジャ３２の長手方向に沿って傾斜している。このような構成により、当接部３５ａの摩擦係数を、十分に低く抑えることが可能となる（後述）。なお、プランジャ３２が外筒３１内に挿着されていない状態では、図３に想像線で示すように、プランジャ３２が外筒３１内に挿着された状態に比べて、弾性片３５が少し外側に開いた状態になっている。
【００３３】
この弾性片３５のサイズとしては、その強度や液密性を確保する観点から、弾性片３５の幅をプランジャ頭部３４の直径の４．７〜５．６％とし、弾性片３５の高さをプランジャ頭部３４の厚さの３９．６〜６３．０％とするのが好ましい。
【００３４】
流動性物質移送具１は以上のような構成を有するので、次の手順により、この流動性物質移送具１を用いて、製剤を収容容器２から患者の投与部位に移送して投与することができる。
【００３５】
まず、準備工程で、製剤が収容された収容容器２に流動性物質移送具１の容器連結部５を連結する。また、この流動性物質移送具１の接続管６を患者の投与部位に接続する。
【００３６】
次に、移送実行工程に移行する。この移送実行工程では、まず、利用者が、シリンジ３のプランジャ３２を引く（すなわち、プランジャ３２を、図３ＡのＢ方向に移動させる）。これにより、収容容器２内及び三方弁４内が負圧（すなわち、大気圧より低い気圧）になって、収容容器２内の製剤が、第１の逆止弁１０および三方弁４を経由して、シリンジ３内（すなわち、外筒３１内）に吸い込まれる。
【００３７】
ここで、プランジャ頭部３４には略Ｖ形断面で円環状の溝３６が設けられているので、収容容器２内が負圧になったとき、弾性片３５は内側方向（すなわち、溝３６の幅が狭まる方向）の力を受ける。このため、この弾性片３５の当接部３５ａと外筒３１の内壁面３１ａとが接触した部分の接圧が小さくなって、この接触部分の摩擦係数が低下する。
【００３８】
この結果、利用者がプランジャ３２を引く際に必要な力は、小さくなる。なお、当接部３５ａと内壁面３１ａとの接圧が低下することにより、この当接部分での液密性は低下する。しかし、このとき、収容容器２内及び三方弁４内は負圧になっているので、この当接部分から製剤が漏れ出すおそれは無い。
【００３９】
所望の量の製剤が三方弁４内及びシリンジ３内に収容されると、続いて、利用者が、シリンジ３のプランジャ３２を押す（すなわち、プランジャ３２を、図３ＡのＡ方向に移動させる）。これにより、三方弁４内及びシリンジ３内が正圧（すなわち、大気圧よりも高い気圧）になって、シリンジ３内に収容された製剤が、この外筒３１から押し出され、三方弁４、第２の逆止弁１１および接続管６を経由して、患者の投与部位に移送される。
【００４０】
このとき、収容容器２内の製剤が溝３６内に入り込んで、弾性片３５は外側方向（すなわち、溝３６の幅が拡がる方向）の力を受ける。このため、この弾性片３５の当接部３５ａと外筒３１の内壁面３１ａとが接触した部分の接圧が大きくなって、この接触部分の摩擦係数が増大する。この結果、利用者がプランジャ３２を押す際に必要な力は、このプランジャ３２を引くときよりも大きくなる。また、当接部３５ａと内壁面３１ａとの接圧が増大することにより、この当接部分での液密性が向上するので、この当接部分から製剤が漏れ出し難くなる。
【００４１】
また、シリンジ３は、上述したとおり、外筒３１内にプランジャ３２が挿着された状態で、外筒３１の内壁面３１ａに弾性片３５の当接部３５ａが円環状にほぼ線接触している。したがって、外筒３１の内壁面３１ａに弾性片３５の当接部３５ａが面接触する場合に比べて、両者（外筒３１の内壁面３１ａおよび弾性片３５の当接部３５ａ）の接触面積が減少するため、外筒３１の内壁面３１ａに対する弾性片３５の抵抗値を抑えることができる。加えて、両者の単位面積当たりの接圧を高めることにより、シリンジ３の液密性を向上させることが可能となる。しかも、当接部３５Ａの位置が弾性片３５の先端部側であるため、この位置が弾性片３５の後端部側である場合に比べて、プランジャ３２が分岐流路４１に最近接する位置まで移動したときに外筒３１内に残る製剤の残留量を減らすことができる。
【００４２】
さらに、弾性片３５は、上述したとおり、プランジャ頭部３４の先端周縁部３４ａに溝３６が形成されることによって設けられているため、プランジャ３２が分岐流路４１に最接近する位置まで移動したときに、弾性片３５が外筒３１の底部に当たっても損傷を受け難く、また、外筒３１内に残る製剤の残留量を少量（溝３６の容積にほぼ等しい量）にとどめることができる。しかも、この溝３６が略Ｖ形断面であるため、プランジャ３２が押されて、弾性片３５は外側に開く向きに外力を受けたときに、外筒３１の内壁面３１ａに対する弾性片３５の抵抗値が増大するという作用を働かせ易くなる。
【００４３】
なお、三方弁４には、上述したとおり、第２および第３の分岐流路４２、４３にそれぞれ第１および第２の逆止弁１０、１１が適宜取り付けられているので、この移送実行工程において、収容容器２からシリンジ３の外筒３１内に移送された製剤が収容容器２に逆流するような事態は生じず、製剤の移送を円滑に行うことができる。
【００４４】
上述した効果を確認するため、直径１５．３ｍｍ、厚さ２．３ｍｍの略円板状のプランジャ頭部３４の先端周縁部３４ａに、図３Ａ−図３Ｄに示すように、略Ｖ形断面円環状の溝３６を４種類の深さＤ（Ｄ＝１．５１ｍｍ、１．２５ｍｍ、０．９２ｍｍ、０．６１ｍｍ）で形成して、４種類のポリエチレン製のプランジャ３２を試作した。
【００４５】
そして、これら４種類の試作品１〜４について、それぞれ、製剤なしの場合（収容容器２に空気を収容した場合）および製剤ありの場合（収容容器２の所定の製剤を収容した場合）とで、プランジャ３２を引いたとき、外筒３１の内壁面３１ａに対する弾性片３５の抵抗値がどのように変化するかを調べた。その結果を図４Ａに棒グラフで示す。この棒グラフにおいて、縦軸は抵抗値（単位：ニュートン）を表している。図４Ａから明らかなように、プランジャ３２を引いたときの抵抗値と溝３６の深さＤとの関係については、製剤なしの場合と製剤ありの場合の別を問わず、溝３６が浅くなるほど、プランジャ３２を引いたときの抵抗値が増大する傾向にあることが認められた。
【００４６】
また、これら４種類の試作品１〜４について、それぞれ、製剤なしの場合（収容容器２に空気を収容した場合）および製剤ありの場合（収容容器２の所定の製剤を収容した場合）に、プランジャ３２を押したとき、外筒３１の内壁面３１ａに対する弾性片３５の抵抗値がどのように変化するかを調べた。その結果を図４Ｂに棒グラフで示す。この棒グラフにおいて、縦軸は抵抗値（単位：ニュートン）を表している。図４Ｂから明らかなように、プランジャ３２を押したときの抵抗値と溝３６の深さＤとの関係については、製剤なしの場合と製剤ありの場合の別を問わず、溝３６が浅くなるほど、プランジャ３２を押したときの抵抗値が増大する傾向にあることが認められた。
【００４７】
そして、図４Ａ、図４Ｂを対比すれば明らかなように、試作品１〜４のいずれについても、特に製剤ありの場合に、プランジャ３２を押したときの抵抗値よりプランジャ３２を引いたときの抵抗値が小さくなった。すなわち、プランジャ３２を往復動させる際に、利用者がプランジャ３２を押す力に比べて、プランジャ３２を引く力が弱くなる場合であっても、シリンジ３の液密性と操作性を両立させることができることを裏付ける結果が得られた。
【００４８】
［発明のその他の実施の形態］
なお、上述した実施の形態１では、三方弁４とシリンジ３の外筒３１とが一体に形成された流動性物質移送具１について説明した。しかし、三方弁４とシリンジ３の外筒３１とが別個に設けられた流動性物質移送具１に本発明を同様に適用することもできる。さらに、三方弁４を備えていない流動性物質移送具１に本発明を同様に適用することも可能である。
【００４９】
また、上述した実施の形態１では、プランジャ頭部３４の先端周縁部３４ａに略Ｖ形断面円環状の溝３６が形成されたプランジャ３２について説明した。しかし、この溝３６の形状は、必ずしも略Ｖ形断面円環状である必要はなく、プランジャ頭部３４の先端周縁部３４ａに所定の弾性片３５が設けられる限り、略Ｖ形断面円環状の溝３６以外の溝（例えば、略Ｕ形断面の溝、略レ形断面の溝、略Ｉ形断面の溝など）を形成するようにしてもよい。
【００５０】
また、上述した実施の形態１では、ポリエチレン製のプランジャ３２について説明した。しかし、プランジャ３２の材質は、ポリエチレンに限るわけではなく、ポリプロピレン、ポリカーボネート、ポリアミド、ポリエチレンテレフタレートなど他の合成樹脂を採用することもできる。さらに、合成樹脂以外の材質（例えば、金属、ガラスなど）を代用しても構わない。
【００５１】
また、上述した実施の形態１において、外筒３１の内壁面３１ａに対する弾性片３５の摩擦抵抗値を減少させるため、潤滑油、グリースなどの潤滑剤を外筒３１の内壁面３１ａに塗布してもよいことは言及するまでもない。
【００５２】
また、上述した実施の形態１では、流動性物質移送具１に用いられるシリンジ３について説明した。しかし、流動性物質移送具１以外の器具・装置（例えば、注射器、分注器、分析機器など）に用いられるシリンジ３に本発明を同様に適用することもできる。
【００５３】
さらに、上述した実施の形態１では、流動性物質移送具１で取り扱う流動性物質が製剤である場合について説明したが、製剤以外の流動性物質（例えば、栄養組成物、血液、接着剤など）を取り扱う場合に本発明を同様に適用することも可能である。
【産業上の利用可能性】
【００５４】
本発明は、流動性物質を移送する工程を含む各種の産業に広く適用することができる。
【符号の説明】
【００５５】
１  流動性物質移送具
３  シリンジ
３１  外筒
３１ａ  内壁面
３２  プランジャ
３３  プランジャ本体
３４  プランジャ頭部
３４ａ  先端周縁部
３５  弾性片
３５ａ  当接部
３５ｂ  湾曲面部
３５ｃ  傾斜面部
３６  溝
【図１】
0006527463.tif 000002
【図２】
0006527463.tif 000003
【図３Ａ】
0006527463.tif 000004
【図３Ｂ】
0006527463.tif 000005
【図３Ｃ】
0006527463.tif 000006
【図３Ｄ】
0006527463.tif 000007
【図４Ａ】
0006527463.tif 000008
【図４Ｂ】
0006527463.tif 000009